(57)【要約】【課題】記録紙を固定刃との間で挟持する為の揺動部材を備えた記録紙切断装置において切断時の記録紙の微動を防止し、以て記録品質の低下を防止する。【解決手段】記録紙を固定刃１との間で剪断する丸刃２の上流側には揺動部材１１が揺動可能に設けられ、揺動することにより、記録紙を固定刃１との間で挟持する挟持状態と、記録紙の搬送路を開放する非挟持状体とを切り替える。揺動部材１１には第１カムフォロア１６が設けられ、カッターキャリッジ２１が、揺動部材１１を付勢する揺動付勢部材に抗して第１カムフォロア１６を押し下げる。第１カムフォロア１６がカッターキャリッジ２１と係合した状態において揺動付勢部材は揺動部材１１に揺動軸方向（Ｘ−方向）の力を付与するが、この力に対し、揺動部材１１を揺動軸方向（Ｘ＋方向）に付勢する軸方向付勢部材の付勢力が充分に大なる様に構成されている。【選択図】　　　　図４
2004122676.tif 000002
【特許請求の範囲】
【請求項１】
記録紙の幅方向に長尺な固定刃と、
前記固定刃と摺接する移動刃を有し、前記幅方向に往復動可能に設けられたカッターキャリッジと、
該カッターキャリッジを前記幅方向に駆動するカッター駆動モータと、
前記記録紙の切断時において前記記録紙を前記固定刃との間で挟持する記録紙挟持状態、及び前記記録紙の非切断時において前記固定刃から離間して記録紙搬送路を開放する記録紙非挟持状態、を切り替え可能に設けられた記録紙挟持手段と、を備え、前記固定刃と前記移動刃とで前記記録紙を剪断する記録紙切断装置であって、
前記記録紙挟持手段が、前記記録紙の搬送経路を側視して揺動可能に設けられる揺動部材と、
該揺動部材に設けられる第１のカムフォロア部と、
該揺動部材を、前記第１のカムフォロア部がカムとしての前記カッターキャリッジに圧接する方向に付勢する揺動付勢部材と、
前記揺動部材を揺動軸方向に付勢することにより、前記揺動部材の揺動軸方向への移動を規制する軸方向付勢部材と、を有し、且つ、前記第１のカムフォロア部と係合するカム部としての前記カッターキャリッジが、該第１のカムフォロア部と係合する第１カム係合状態と、該第１のカムフォロア部と係合しない第１カム非係合状態と、を前記カッターキャリッジの移動動作によって切り替えることにより、前記記録紙挟持状態と前記記録紙非挟持状態とを切り替える様に構成され、
前記第１カム係合状態において前記揺動付勢部材が前記揺動部材に付与する前記揺動軸方向の力が、前記揺動付勢部材が前記揺動部材に付与する前記揺動軸方向の力よりも小なる様に構成されている、
ことを特徴とした記録紙切断装置。
【請求項２】
記録紙の幅方向に長尺な固定刃と、
前記固定刃と摺接する移動刃を有し、前記幅方向に往復動可能に設けられたカッターキャリッジと、
該カッターキャリッジを前記幅方向に駆動するカッター駆動モータと、
前記記録紙の切断時において前記記録紙を前記固定刃との間で挟持する記録紙挟持状態、及び前記記録紙の非切断時において前記固定刃から離間して記録紙搬送路を開放する記録紙非挟持状態、を切り替え可能に設けられた記録紙挟持手段と、を備え、前記固定刃と前記移動刃とで前記記録紙を剪断する記録紙切断装置であって、
前記記録紙挟持手段が、前記記録紙の搬送経路を側視して揺動可能に設けられる揺動部材と、
該揺動部材に設けられる第１のカムフォロア部と、
該揺動部材を、前記第１のカムフォロア部がカムとしての前記カッターキャリッジに圧接する方向に付勢する揺動付勢部材と、
前記揺動部材を揺動軸方向に付勢することにより、前記揺動部材の揺動軸方向への移動を規制する軸方向付勢部材と、を有し、且つ、前記第１のカムフォロア部と係合するカム部としての前記カッターキャリッジが、該第１のカムフォロア部と係合する第１カム係合状態と、該第１のカムフォロア部と係合しない第１カム非係合状態と、を前記カッターキャリッジの移動動作によって切り替えることにより、前記記録紙挟持状態と前記記録紙非挟持状態とを切り替える様に構成され、
前記第１カム係合状態において前記揺動付勢部材が前記揺動部材に付与する前記揺動軸方向の力が、前記揺動付勢部材が前記揺動部材に付与する前記揺動軸方向の力と同じ方向となる様に構成されている、
ことを特徴とした記録紙切断装置。
【請求項３】
請求項１または２において、前記記録紙の切断時において前記カッターキャリッジの往復動領域から退避する退避状態と、前記記録紙の非切断時において前記カッターキャリッジの往復動領域に進出して前記固定刃から下流に進む前記記録紙をガイドする進出状態と、を切り替え可能に設けられた記録紙ガイド手段を備えている、
ことを特徴とした記録紙切断装置。
【請求項４】
請求項３において、前記記録紙ガイド手段が第２のカムフォロア部を有し、該第２のカムフォロア部と係合するカムとしての前記カッターキャリッジが、前記第２のカムフォロア部と係合する第２カム係合状態と、前記第２のカムフォロア部と係合しない第２カム非係合状態と、を前記カッターキャリッジの移動動作によって切り替えることにより、前記記録紙ガイド手段が前記退避状態と前記進出状態とを切り替える様に構成されている、
ことを特徴とした記録紙切断装置。
【請求項５】
請求項４において、前記第１カム係合状態において前記カッター駆動モータが前記記録紙挟持手段から最大負荷を受ける際の前記カッターキャリッジの第１のキャリッジ位置と、
前記第２カム係合状態において前記カッター駆動モータが前記記録紙ガイド手段から最大負荷を与える際の前記カッターキャリッジの第２のキャリッジ位置と、が異なる位置となる様に構成されている、
ことを特徴とした記録紙切断装置。
【請求項６】
被記録材に記録を行う記録装置であって、請求項１から５のいずれか１項に記載された前記記録紙切断装置を備えている、
ことを特徴とした記録装置。
【発明の詳細な説明】
【０００１】
【発明の属する技術分野】
本願発明は、ファクシミリやコピー機、プリンタ等の記録装置に搭載され、記録紙を所望の長さに切断する記録紙切断装置、並びに該記録紙切断装置を搭載した記録装置に関する。
【０００２】
【従来の技術】
記録装置の１つとしてインクジェットプリンタ（以下「プリンタ」と言う）があり、プリンタには、記録紙を所定位置で切断する記録紙切断装置を備えるものがある。この記録紙切断装置は、固定刃と、紙幅方向に移動する移動刃とによって記録紙を剪断する構成を有している（例えば、特許文献１参照）。
【０００３】
ところで、切断時に記録紙が微動すると印刷位置にずれが生じることから、記録紙切断装置には、切断時に記録紙が微動しない様に、記録紙を固定刃との間で挟持する記録紙挟持手段を備えることが望ましい。この様な記録紙挟持手段としては、例えば、記録紙搬送方向を側視して揺動可能に設けられる揺動部材に、記録紙を固定刃との間で挟持する押さえ部を設け、前記揺動部材を揺動させることにより、記録紙を固定刃との間で挟持する記録紙挟持状態と、記録紙搬送路を開放する記録紙非挟持状態とを切り替える様に構成することができる。
【０００４】
一方、移動刃の下流側には、記録紙を下流側へと円滑に送る為に、記録紙を下流側へと案内する記録紙ガイド手段を設けることが望ましい。ここで、移動刃を備えたカッターキャリッジの往復動領域に前記記録紙ガイド手段を設ける必要がある場合には、記録紙ガイド手段を前記カッターキャリッジの往復動領域に進退可能に設ける必要がある。そこで、この様な記録紙ガイド手段としては、例えば、記録紙を下流側へと案内するガイド部材を記録紙搬送方向を側視して揺動可能に設け、前記ガイド部材を揺動させることにより、切断時には移動刃を有するカッターキャリッジの往復動領域から退避する退避状態と、非切断時には前記カッターキャリッジの往復動領域に進出して前記固定刃から下流に進む記録紙をガイドする進出状態とを切り替える様に構成することができる。
【０００５】
【特許文献１】
特開２０００−１５３４９１号公報
【０００６】
【発明が解決しようとする課題】
ところで、前記記録紙挟持手段は、例えば前記記録紙の搬送経路を側視して揺動可能に設けられる揺動部材と、該揺動部材に設けられる第１のカムフォロア部と、該揺動部材を、前記第１のカムフォロア部がカムとしての前記カッターキャリッジに圧接する方向に付勢する揺動付勢部材と、前記揺動部材を揺動軸方向に付勢することにより、前記揺動部材の揺動軸方向への移動を規制する軸方向付勢部材とによって構成することができる。そして、前記第１のカムフォロア部と係合するカム部としての前記カッターキャリッジが、該第１のカムフォロア部と係合する第１カム係合状態と、該第１のカムフォロア部と係合しない第１カム非係合状態と、を前記カッターキャリッジの移動動作によって切り替えることにより、前記記録紙挟持状態と前記記録紙非挟持状態とを切り替える様に構成することが可能である。
【０００７】
しかし、前記揺動部材は、揺動動作を円滑に行う為に揺動軸方向に僅かに僅かにがたつきを設ける必要がある。しかし、前記揺動部材には記録紙を前記固定板との間で挟持する押さえ部が設けられることから、記録紙切断時に前記揺動部材が揺動軸方向に微動すると、記録位置にずれが生じ、記録品質を低下させる虞がある。また、記録紙の記録面が固定刃と擦れて、これによっても記録品質を低下させる虞がある。
【０００８】
そこで、この様な構成を有する記録紙切断装置においては、前記揺動部材を揺動軸方向に付勢する軸方向付勢部材を設けることが望ましいが、この様な軸方向付勢部材を設けると、揺動の際の摩擦抵抗力が大なるものとなり、前記揺動部材を揺動方向に付勢する揺動付勢部材の付勢力を高める必要がある。
【０００９】
一方、揺動付勢部材の付勢力は、前記揺動部材の揺動軸方向と直交する方向の力の成分と、揺動軸方向の力の成分とに分けることができる。ここで、後者の揺動軸方向の力の成分が、前記揺動部材を揺動軸方向に付勢する軸方向付勢部材の付勢力に抗する方向に作用すると、前記軸方向付勢部材の付勢力が弱まり、前記揺動部材を確実に付勢することができずに前記揺動部材が揺動軸方向に微動し、これによって記録品質が低下する虞がある。特に、上述した様に前記揺動部材を揺動軸方向に付勢する軸方向付勢部材を設けた構成においては、前記揺動付勢部材の付勢力を高める必要があることから、より一層前記軸方向付勢部材の付勢力に抗して前記揺動部材を微動させる虞がある。
【００１０】
そこで本発明はこの様な状況に鑑みなされたものであり、その課題は、記録紙を固定刃との間で挟持する為の揺動部材を備えた記録紙切断装置において切断時の記録紙の微動を防止し、以て記録品質の低下を防止することにある。
【００１１】
【課題を解決するための手段】
上記課題を解決するために、本発明の第１の態様は、記録紙の幅方向に長尺な固定刃と、前記固定刃と摺接する移動刃を有し、前記幅方向に往復動可能に設けられたカッターキャリッジと、該カッターキャリッジを前記幅方向に駆動するカッター駆動モータと、前記記録紙の切断時において前記記録紙を前記固定刃との間で挟持する記録紙挟持状態、及び前記記録紙の非切断時において前記固定刃から離間して記録紙搬送路を開放する記録紙非挟持状態、を切り替え可能に設けられた記録紙挟持手段と、を備え、前記固定刃と前記移動刃とで前記記録紙を剪断する記録紙切断装置であって、前記記録紙挟持手段が、前記記録紙の搬送経路を側視して揺動可能に設けられる揺動部材と、該揺動部材に設けられる第１のカムフォロア部と、該揺動部材を、前記第１のカムフォロア部がカムとしての前記カッターキャリッジに圧接する方向に付勢する揺動付勢部材と、前記揺動部材を揺動軸方向に付勢することにより、前記揺動部材の揺動軸方向への移動を規制する軸方向付勢部材と、を有し、且つ、前記第１のカムフォロア部と係合するカム部としての前記カッターキャリッジが、該第１のカムフォロア部と係合する第１カム係合状態と、該第１のカムフォロア部と係合しない第１カム非係合状態と、を前記カッターキャリッジの移動動作によって切り替えることにより、前記記録紙挟持状態と前記記録紙非挟持状態とを切り替える様に構成され、前記第１カム係合状態において前記揺動付勢部材が前記揺動部材に付与する前記揺動軸方向の力が、前記軸方向付勢部材が前記揺動部材に付与する前記揺動軸方向の力よりも小なる様に構成されていることを特徴とした記録紙切断装置である。
【００１２】
上記第１の態様によれば、記録紙を固定刃との間で挟持する為の揺動部材を備えた記録紙切断装置において切断時の記録紙の微動を防止し、以て記録品質の低下を防止することができる。即ち、記録紙切断装置は、記録紙切断時に記録紙を前記固定刃との間で挟持する記録紙挟持手段を有していて、該記録紙挟持手段は記録紙挟持状態と記録紙非挟持状態とを切り替え可能に構成されている。そして、この切り替え動作が、前記カッターキャリッジの移動動作によって行われる様になっている。
【００１３】
より詳しくは、前記カッターキャリッジはカムとしての機能を有し、前記記録紙挟持手段に設けられた第１のカムフォロア部との係合状態及び非係合状態を、前記カッターキャリッジの移動動作によって切り替えることにより、前記記録紙挟持手段の前記記録紙挟持状態と前記記録紙非非挟持状態とを切り替える様に構成されている。
【００１４】
ここで、前記第１のカムフォロア部は、前記揺動付勢部材により、カムとしての前記カッターキャリッジに圧接する様に設けられるが、この圧接力、即ち前記揺動付勢部材の付勢力は、前記揺動部材の揺動軸方向と直交する方向の力の成分と、揺動軸方向の力の成分とに分解することができる。ここで、後者の揺動軸方向の力の成分が、前記揺動部材を揺動軸方向に付勢する軸方向付勢部材の付勢力に抗する方向に作用すると、前記軸方向付勢部材の付勢力が弱まり、前記揺動部材を確実に付勢することができずに前記揺動部材が揺動軸方向に微動し、これによって記録品質が低下する虞がある。
【００１５】
そこで、上記第１の態様は、上述した揺動付勢部材による付勢力の揺動軸方向成分が、前記軸方向付勢部材の付勢力よりも小なる様に構成したので、これにより、前記軸方向付勢部材の付勢力を確保して記録品質の低下を防止することができる。
【００１６】
本発明の第２の態様は、記録紙の幅方向に長尺な固定刃と、前記固定刃と摺接する移動刃を有し、前記幅方向に往復動可能に設けられたカッターキャリッジと、該カッターキャリッジを前記幅方向に駆動するカッター駆動モータと、前記記録紙の切断時において前記記録紙を前記固定刃との間で挟持する記録紙挟持状態、及び前記記録紙の非切断時において前記固定刃から離間して記録紙搬送路を開放する記録紙非挟持状態、を切り替え可能に設けられた記録紙挟持手段と、を備え、前記固定刃と前記移動刃とで前記記録紙を剪断する記録紙切断装置であって、前記記録紙挟持手段が、前記記録紙の搬送経路を側視して揺動可能に設けられる揺動部材と、該揺動部材に設けられる第１のカムフォロア部と、該揺動部材を、前記第１のカムフォロア部がカムとしての前記カッターキャリッジに圧接する方向に付勢する揺動付勢部材と、前記揺動部材を揺動軸方向に付勢することにより、前記揺動部材の揺動軸方向への移動を規制する軸方向付勢部材と、を有し、且つ、前記第１のカムフォロア部と係合するカム部としての前記カッターキャリッジが、該第１のカムフォロア部と係合する第１カム係合状態と、該第１のカムフォロア部と係合しない第１カム非係合状態と、を前記カッターキャリッジの移動動作によって切り替えることにより、前記記録紙挟持状態と前記記録紙非挟持状態とを切り替える様に構成され、前記第１カム係合状態において前記揺動付勢部材が前記揺動部材に付与する前記揺動軸方向の力が、前記軸方向付勢部材が前記揺動部材に付与する前記揺動軸方向の力と同じ方向となる様に構成されていることを特徴とした記録紙切断装置である。
【００１７】
上記第２の態様によれば、上述した第１の態様と同様に、記録紙を固定刃との間で挟持する為の揺動部材を備えた記録紙切断装置において切断時の記録紙の微動を防止し、以て記録品質の低下を防止することができる。即ち、記録紙切断装置は、上述した第１の態様と同様に、記録紙切断時に記録紙を前記固定刃との間で挟持する記録紙挟持手段を有していて、該記録紙挟持手段は記録紙挟持状態と記録紙非挟持状態とを切り替え可能に構成されている。そして、この切り替え動作が、前記カッターキャリッジの移動動作によって行われる様になっている。
【００１８】
ここで、上記第２の態様は、前記揺動付勢部材の付勢力を、前記揺動部材の揺動軸方向と直交する方向の力の成分と、揺動軸方向の力の成分とに分解した際に、後者の揺動軸方向の力の成分方向が、前記軸方向付勢部材が前記揺動部材に付与する前記揺動軸方向の力と同じ方向となる様に構成したので、前記軸方向付勢部材による付勢力が低下することが無く、以て切断時に記録紙が微動することによる記録品質の低下を確実に防止することができる。
【００１９】
本発明の第３の態様は、上記第１のまたは第２の態様において、前記記録紙の切断時において前記カッターキャリッジの往復動領域から退避する退避状態と、前記記録紙の非切断時において前記カッターキャリッジの往復動領域に進出して前記固定刃から下流に進む前記記録紙をガイドする進出状態と、を切り替え可能に設けられた記録紙ガイド手段を備えていることを特徴とした記録紙切断装置である。
【００２０】
上記第３の態様によれば、記録紙切断装置は前記固定刃から下流に進む前記記録紙をガイドする記録紙ガイド手段を備えているので、前記記録紙が前記固定刃から下流に円滑に進むことができると共に、前記記録紙を下流側へと案内する進出状態では前記カッターキャリッジの往復動領域に進出しているが、前記記録紙の切断時においては前記カッターキャリッジの往復動領域から退避しているので、前記カッターキャリッジの往復動作の妨げとなることがない。
【００２１】
本発明の第４の態様は、上記第３の態様において、前記記録紙ガイド手段が第２のカムフォロア部を有し、該第２のカムフォロア部と係合するカムとしての前記カッターキャリッジが、前記第２のカムフォロア部と係合する第２カム係合状態と、前記第２のカムフォロア部と係合しない第２カム非係合状態と、を前記カッターキャリッジの移動動作によって切り替えることにより、前記記録紙ガイド手段が前記退避状態と前記進出状態とを切り替える様に構成されている、ことを特徴とした記録紙切断装置である。
【００２２】
上記第４の態様によれば、前記記録紙ガイド手段が第２のカムフォロア部を有し、該第２のカムフォロア部が、前記カッターキャリッジと係合することによって前記退避状態と前記進出状態とを切り替える様に構成されていることから、既存の構成要素を利用して低コストに前記記録紙ガイド手段の状態を切り替えることができる。
【００２３】
本発明の第５の態様は、上記第４の態様において、前記第１カム係合状態において前記カッター駆動モータが前記記録紙挟持手段から最大負荷を受ける際の前記カッターキャリッジの第１のキャリッジ位置と、前記第２カム係合状態において前記カッター駆動モータが前記記録紙ガイド手段から最大負荷を与える際の前記カッターキャリッジの第２のキャリッジ位置と、が異なる位置となる様に構成されていることを特徴とした記録紙切断装置である。
【００２４】
上記第５の態様によれば、移動刃を備えたカッターキャリッジを駆動するカッター駆動モータに掛かる負荷の変動幅を縮小させることができる。即ち、記録紙切断装置は、記録紙切断時に記録紙を前記固定刃との間で挟持する記録紙挟持手段と、前記固定刃から下流に進む記録紙をガイドする記録紙ガイド手段とを有していて、記録紙挟持手段は記録紙挟持状態と記録紙非挟持状態と、記録紙ガイド手段は退避状態と進出状態とを切り替え可能に構成されている。そして、これらの切り替え動作が、前記カッターキャリッジの移動動作によって行われる様になっている。
【００２５】
より詳しくは、前記カッターキャリッジはカムとしての機能を有し、前記記録紙挟持手段に設けられた第１のカムフォロア部と、前記記録紙ガイド手段に設けられた第２のカムフォロア部と、の係合状態及び非係合状態を、前記カッターキャリッジの移動動作によって切り替えることにより、前記記録紙挟持手段と前記記録紙ガイド手段との状態を切り替える様に構成されている。
【００２６】
ここで、前記第１のカムフォロア部と前記第２のカムフォロア部とは、カムとしての前記カッターキャリッジに圧接し、前記カッターキャリッジに外力を付与することから、前記カッターキャリッジを駆動するカッター駆動モータにはこれによって負荷が掛かることとなる。そして、前記カッター駆動モータが前記第１のカムフォロア部、即ち前記記録紙挟持手段から最大負荷を受ける際の第１のキャリッジ位置と、前記カッター駆動モータが前記第２のカムフォロア部、即ち前記記録紙ガイド手段から最大負荷を受ける際の第２のキャリッジ位置とが異なる様に構成されていることから、これによって前記カッター駆動モータに掛かる最大負荷を低減させることができ、以て前記カッター駆動モータによる前記カッターキャリッジの正常な駆動動作を実行することができる。
【００２７】
本発明の第６の態様は、被記録材に記録を行う記録装置であって、上記第１から第５の態様のいずれかに記載された前記記録紙切断装置を備えていることを特徴とした記録装置である。
上記第６の態様によれば、被記録材に記録を行う記録装置は、上記第１から第５の態様のいずれかに記載された前記記録紙切断装置を備えているので、上述した第１から第５の態様のいずれかと同様な作用効果を得ることが可能となる。
【００２８】
【発明の実施の形態】
以下、本願発明の実施の形態を図面に基づいて説明する。
図１は、本願発明に係る「記録装置」としてのインクジェット式記録装置の一実施の形態を示した概略の斜視図であり、図２は、その要部側面図である。先ず、主として図２を参照しながら、適宜図１をも参照しつつ、インクジェット式記録装置５０の全体構成について説明する。
【００２９】
インクジェット式記録装置５０には、普通紙やフォト専用紙、あるいは長尺な記録紙をロール状に巻いたロール紙ロールＲ（図１）から繰り出されたロール紙等の記録紙Ｐに記録を実行する記録手段として、キャリッジガイド軸５１に軸支され、主走査方向Ｘ（図１）に移動するキャリッジ６１が設けられている。キャリッジ６１には、記録紙にインクを吐出して記録を行う記録ヘッド６２が搭載されている。記録ヘッド６２と対向して、記録ヘッド６２のヘッド面６２ａと記録紙との間隔（ペーパー・ギャップ、以下ＰＧと言う）を規定するプラテン５２が設けられている。そして、キャリッジ６１を主走査方向Ｘに搬送し、キャリッジ６１とプラテン５２の間に記録紙を副走査方向Ｙに搬送しながら、記録ヘッド６２のヘッド面６２ａから記録紙にインクを吐出することで記録紙に記録が行われる。
【００３０】
また、インクジェット式記録装置５０には、普通紙やフォト専用紙等の単票紙を給紙可能な構成を有する、図示を省略する自動給紙装置（ＡＳＦ：オート・シート・フィーダ、以下ＡＳＦと言う）が設けられている。ＡＳＦは、図示していない給紙ローラ及び分離パッド等を有していて、給紙ローラの回転駆動力と、分離パッドの摩擦抵抗により、図示しない給紙トレイに置かれた複数枚の記録紙Ｐの束から、下流側に向けて１枚ずつ繰り出される。また、このＡＳＦは後部にロール紙ホルダ５９（図１）を備え、該ロール紙ホルダ５９にロール紙ロールＲを自由回転可能に保持することにより、ロール紙ロールＲからロール紙を繰り出せる様になっている。
【００３１】
さらに、インクジェット式記録装置５０には、給紙された記録紙Ｐを副走査方向Ｙに間欠的に搬送する記録紙搬送手段として、搬送駆動ローラ５３と搬送従動ローラ５４が設けられている。搬送駆動ローラ５３は、回転駆動力源により回転制御され、搬送駆動ローラ５３の回転により、記録紙Ｐは副走査方向Ｙに搬送される。搬送従動ローラ５４は複数設けられており、それぞれ個々に搬送駆動ローラ５３に付勢され、記録紙Ｐが搬送駆動ローラ５３の回転により搬送される際に、記録紙Ｐに接して記録紙Ｐの搬送に従動して回転する。
【００３２】
さらに、インクジェット式記録装置５０には、記録の行われた記録紙Ｐを排出する手段として、排紙駆動ローラ５５と排紙従動ローラ５６、５６が設けられている。排紙駆動ローラ５５は、回転駆動力源により回転制御され、排紙駆動ローラ５５の回転により、記録紙Ｐは副走査方向Ｙに排出される。排紙従動ローラ５６、５６は、排紙フレーム６３に複数設けられ、周囲に複数の歯を有し、各歯の先端が記録紙Ｐの記録面に点接触するように鋭角的に尖っている歯付きローラとなっている。
【００３３】
副走査方向Ｙにおける下流側に位置する排紙従動ローラ５６は、それぞれ個々に排紙駆動ローラ５５に、前記搬送従動ローラ５４の付勢力よりも弱い付勢力で付勢され、記録紙Ｐが排紙駆動ローラ５５の回転により排出される際に、記録紙Ｐに接して記録紙の排出に従動して回転する。もう一方の副走査方向Ｙにおける上流側に位置する排紙従動ローラ５６は、排紙駆動ローラ５５とは対をなしてはおらず、単独で記録紙Ｐの記録面に接触し、記録紙Ｐの浮き上がりを防いでいる。
尚、当該実施の形態においては、排紙フレーム６３の上面は、キャリッジ６１に形成されたＰＧ規制部６１１が摺接し、キャリッジ６１の高さを規制してＰＧを規制するＰＧ規制面となっている。
【００３４】
排紙従動ローラ５６より副走査方向Ｙの下流側には、記録紙Ｐを切断する、本願発明に係る「記録紙切断装置」としてのオートカッター１００が設けられている。オートカッター１００は、固定刃１と、「移動刃」としての丸刃２とを有し、固定刃１と丸刃２とで記録紙Ｐを剪断する構成を成している。
【００３５】
オートカッター１００の構成について概説すると、オートカッター１００における記録紙Ｐの入口には、紙案内４４が設けられている。紙案内４４は記録紙Ｐの幅方向（主走査方向：図２の紙面表裏方向）に長い形状をなし、その上面によって、オートカッター１００に入った記録紙Ｐを固定刃１と丸刃２の接触位置に案内する。尚、紙案内４４の上部には、補助ローラ４１が自由回転可能に軸支され、且つ、図示しない付勢手段により、紙案内４４の上面に軽く接触する様に設けられている。従って記録紙Ｐは、紙案内４４と補助ローラ４１とによって挟まれた状態で、下流側へと進む。
【００３６】
紙案内４４の下流側には、丸刃２を自由回動可能に軸支するカッターキャリッジ２１が配設されている。カッターキャリッジ２１は、記録紙Ｐの幅方向に長い固定刃１とガイド板２３とによって記録紙Ｐの幅方向にスライド可能に設けられ、カッター駆動モータ３（図１）の回転駆動力が伝達されることにより回転する無端ベルト２２（図４参照）に取り付けられたことにより、無端ベルト２２の回転によって記録紙Ｐの幅方向に往復動作する様になっている。そして、このカッターキャリッジ２１の移動動作により、記録紙Ｐが剪断される。
【００３７】
カッターキャリッジ２１の下流側には、単票紙や、切断後の記録紙Ｐを最終的に排紙トレイ５８に排出するための手段として、排出駆動ローラ４２と排出従動ローラ４３が配設されている。排出駆動ローラ４２及び排出従動ローラ４３は、前述の排紙駆動ローラ５５及び排紙従動ローラ５６と略同様の構成を成しており、切断後の記録紙Ｐは、排出駆動ローラ４２と排出従動ローラ４３とに挟持された状態で排出駆動ローラ４２の回転駆動力によって排紙トレイ５８（図１）に排出される。また、排出駆動ローラ４２と排出従動ローラ４３は、記録紙Ｐをロール紙カッターにて切断する際には、副走査方向Ｙの下流側の記録紙Ｐを挟持して保持する役割を果たす。
【００３８】
以上がインクジェット式記録装置５０の大略構成であり、以下、図３以降を参照しながら、オートカッター１００のより詳細な構成について説明する。
先ず、図３及び図４を参照しながら、固定刃１と丸刃２とによる記録紙Ｐの切断部の詳細について説明する。ここで図３は、カッターキャリッジ２１の拡大斜視図であり、記録紙Ｐの切断を開始する直前の状態を示したものである。また、図４はオートカッター１００の正面図である。
【００３９】
図４において、前述した様にカッターキャリッジ２１は、記録紙Ｐの幅方向（Ｘ方向）に往復駆動される様に設けられている。より詳しくは、オートカッター１００の長手方向両端部近傍には、図１に示したカッター駆動モータ３によって駆動される駆動プーリー２２ａと、自由回動可能な従動プーリー２２ｂとが設けられ、そしてそれらには無端ベルト２２が巻回されている。一方、カッターキャリッジ２３は、記録紙Ｐの幅方向に長く且つ水平に設けられた固定刃１とガイド板２３とによって記録紙Ｐの幅方向にスライド可能に設けられ、そして無端ベルト２２の一部分に固定されている。従って、カッター駆動モータ３の回動により、カッターキャリッジ２１は記録紙Ｐの幅方向（Ｘ方向）に往復駆動される。
【００４０】
次に、カッターキャリッジ２１には、前述した様に丸刃２が自由回動可能に、且つ、その外周部において円盤面が固定刃１の端部に接触する様に設けられている。図４に示すカッターキャリッジ２１の待機位置（図４の左側：インクジェット式記録装置５０の左側）から、カッターキャリッジ２１が図３のＸ＋方向に移動し始めると、丸刃２が、カッターキャリッジ２１の移動動作に伴って図３において符号Ｄの矢印で示した回転方向に回転しながら記録紙Ｐの側端に近づいていく。
【００４１】
ここで、カッターキャリッジ２１には、斜面２４ａと規制面２４ｂとを有する規制部２４が形成されている。規制部２４は、丸刃２の下流側近傍に設けられていて、斜面２４ａは、記録紙Ｐを固定刃１と丸刃２との接触部分に誘導する機能を果たし、規制面２４ｂは、切断位置（切り込み部分）における記録紙Ｐの姿勢を略水平に規制する。
【００４２】
このように、剪断する直前の切断位置近傍における記録紙Ｐの姿勢を略水平に規制する規制部２４がカッターキャリッジ２１に形成されていることから、剪断する直前の記録紙Ｐの切断位置近傍が斜めに傾くことによる切断位置のずれや、記録紙Ｐの引っかかり等の虞を少なくすることができる様になっている。
以上により、記録紙Ｐが、カッターキャリッジ２１の移動動作に従って、固定刃１と丸刃２とによって、所定の位置で剪断されることになる。
【００４３】
次に、図５乃至図１６及び、適宜図１、２、４をも参照しながら、記録紙Ｐを固定刃１との間で挟持する「記録紙挟持手段」及び、固定刃１から下流へ進む記録紙Ｐを下流側へとガイドする「記録紙ガイド手段」の構成と作用効果について説明する。ここで、図５はオートカッター１００の正面図、図６は同斜視図、図７は同拡大斜視図である。また、図８、１０、１２はオートカッター１００の外観斜視図であり、図９、１１、１３は同側面図である。更に、図１４、１５はオートカッター１００の拡大正面図、図１６は記録紙挟持手段、記録紙ガイド手段がカッターキャリッジ２１に付与する外力と、カッターキャリッジ２１の位置関係を示した説明図である。尚、以下では、図４に示す様なオートカッター１００の非稼働状態におけるカッターキャリッジ２１の位置（図４において左側の位置）を、カッターキャリッジ２１の「待機位置」と言うこととする。
【００４４】
先ず、記録紙挟持手段の構成及び作用効果について説明する。図９に示す様に、紙案内４４の下部には、記録紙Ｐの幅方向（図９の紙面表裏方向）に延びる揺動軸６４が設けられ、該揺動軸６４には、記録紙Ｐの幅方向に長い板状体からなる揺動部材１１が、記録紙Ｐの搬送方向を側視して揺動可能（図２の時計方向及び反時計方向）に設けられている。
【００４５】
揺動部材１１は金属板の折り曲げによって形成され、その長手方向両端部分が記録紙Ｐの搬送方向上流側に折り曲げられることにより、揺動軸６４が当該折り曲げられた部分を挿通して、これによって記録紙Ｐの搬送方向を側視して揺動可能となっている。
【００４６】
ここで、揺動部材１１には、「揺動付勢部材」としてのねじりコイルばね１２の付勢力が作用する様に構成されている。ねじりコイルばね１２は図６に示す様に揺動部材１１の両端部近傍に１つずつ配置され、図９に示す様にその一端は前方側（図９の右方向）に延びて揺動部材１１に掛止し、他端は後方側（図９の左方向）に延びて紙案内４４に掛止して、揺動部材１１を、固定刃１に向かう方向に揺動する様付勢している。
【００４７】
一方、揺動部材１１には、図４、図７に示す様に、揺動部材１１を形成する金属板の折り曲げによって、記録紙Ｐの幅方向に渡って押さえ部１３、支持部１５ａ、１５ｂが局在して形成されている。
押さえ部１３にはスポンジ材、ゴム材等の、弾性変形可能であって且つ高摩擦係数を有する弾性材１４が設けられ、支持部１５ｂには、スポンジ材、ゴム材等の弾性変形可能な弾性材１７が設けられている。押さえ部１３に設けられた弾性材１４は、ねじりコイルばね１２の付勢力によって固定刃１の下面に圧接し、支持部１５ｂに設けられた弾性材１７は、弾性材１４が固定刃１の下面に圧接した状態において、固定刃１の下面に軽く接触するか、或いは固定刃１の下面との間で微小間隔を形成する様に、支持部１５ｂに設けられている。尚、本実施形態では弾性材１４としてゴム材が用いられ、弾性材１７として軟質の発泡材が用いられている。
【００４８】
続いて、揺動部材１１はねじりコイルばね１２によって弾性材１４が固定刃１の下面に圧接する方向に揺動付勢されているが、一方で揺動部材１１において待機位置側（図４の左側）に設けられた第１カムフォロア１６と、これと係合するカッターキャリッジ２１とによって、弾性材１４が固定刃１の下面から離間する方向に揺動する様に構成されている。
【００４９】
より詳しくは、揺動部材１１の待機位置側には図９に示す様な折り曲げ部１１ａが形成されていて、該折り曲げ部１１ａに、待機位置側とは逆側に滑らかな傾斜面１６ａ（図４参照）を有する第１カムフォロア１６が取り付けられている。この第１カムフォロア１６はカッターキャリッジ２１の往復動領域内に突出する様に設けられている。従ってカッターキャリッジ２１が待機位置にあるときには、図４、図９、図１０に示す様に第１カムフォロア１６はカッターキャリッジ２１の下部（符号２５で示す部分：以下「第１カム部」と言う）と係合し（以下これを「第１カム係合状態」と言う）、これにより、揺動部材１１はねじりコイルばね１２の付勢力に抗して固定刃１から離間する方向に押し下げられた状態となる。一方でカッターキャリッジ２１が待機位置から離れると、第１カムフォロア１６と第１カム部２５との係合状態が解除され（以下これを「第１カム非係合状態」と言う）、揺動部材１１はねじりコイルばね１２の付勢力によって固定刃１に圧接する方向に揺動する。
【００５０】
従って、カッターキャリッジ２１が待機位置にあるときは、弾性材１４、１７が固定刃１の下面から充分に離間して、図４に示す様に記録紙Ｐの搬送経路を開放する状態となる（記録紙挟持手段の記録紙非挟持状態）。一方でカッターキャリッジ２１が、記録紙Ｐの切断を行う為に待機位置から離れると、図５に示す様に弾性材１４は固定刃１に圧接し、これにより、記録紙Ｐが固定刃１との間で挟持される（記録紙挟持手段の記録紙挟持状態）。つまり、記録紙Ｐが固定刃１との間で挟持されることにより、切断時に記録紙Ｐが微動しない様に挟持され、記録品質の低下が防止される様になっている。これが、オートカッター１００における記録紙挟持手段である。
【００５１】
ところで、図４に示す様に記録紙Ｐを固定刃１との間で挟持する押さえ部１３は、本実施形態においては記録紙Ｐの幅方向において１箇所のみ設けられている。これは、以下の様な理由による。即ち、押さえ部１３（弾性材１４）を記録紙Ｐの幅方向全体に延設し、記録紙Ｐの幅方向全体に渡って挟持する様に構成する場合には、記録紙Ｐの全幅に渡って均等な力で挟持することが困難であり、挟持力が幅方向に渡ってばらついた状態となり易い。この様な場合には、記録紙Ｐの切断時に、挟持力が弱い部分においてすべりが生じ、これによって記録紙Ｐの記録面が固定刃１の下面と擦れることによって記録面を傷つけてしまうといった問題が生じることになる。
【００５２】
そこで、本実施形態では記録紙挟持手段を、記録紙Ｐの全幅にわたって挟持せず、或いは、記録紙Ｐの全幅において、複数箇所の挟持部分にて挟持せず、上述の通り１カ所のみで挟持する様に構成した。従ってこれにより、記録紙Ｐの切断位置近傍に不均等な挟持力が作用しない状態で、記録紙Ｐを挟持することができる。そして、それによって、記録紙Ｐを剪断する際に記録紙Ｐと固定刃１との間にすべりが生じ、当該すべりによって記録面を痛めるといった不具合を防止することができる様になっている。
【００５３】
加えて、本実施形態においては、支持部１５ａ、１５ｂによって、記録紙Ｐを固定刃１との間で挟持しないながらも、可能な限り固定刃１の下面に沿った状態とすることにより、適切に記録紙Ｐを切断することができる様になっている。　即ち、本実施形態においては、押さえ部１３は図４に示す様に中央からやや右側に偏倚した位置に設けられていて、その右側には支持部１５ａが、その左側には支持部１５ａと１５ｂとが、支持部１５ｂ、１５ａ、１５ｂの順に、幅方向に渡って局在する様に設けられている。ここで、支持部１５ａ、１５ｂが設けられていない場合には、記録紙Ｐは、切断時に押さえ部１３によって１点で挟持されるのみである為、押さえ部１３の両側部分が下方に垂れ下がり、固定刃１の下面から離間する。すると、丸刃２が記録紙Ｐを切り込む際に記録紙Ｐに無理な力が掛かり、これによって記録紙Ｐが微動してしまい、後に記録を再開した際に記録品質が低下する虞がある。また、丸刃２が記録紙Ｐを切り込む際に、記録紙Ｐに局部的な撓み（曲げ）状態を形成してしまう虞もある。
【００５４】
従って、支持部１５ａ、１５ｂは、この様な問題を防止する為に、記録紙Ｐを固定刃１との間で挟持しないながらも（記録紙Ｐの非挟持状態）、記録紙Ｐをできる限り固定刃１の下面に沿わせる様にすることによって、適切な切断動作を実行可能としている。
【００５５】
加えて、支持部１５ｂには、支持部１５ａとは異なり、図７に詳しく示す様に弾性材１７が設けられている。ここで、弾性材１７は、図７に示す様に弾性材１４とは異なり記録紙Ｐへ接する方向（上下方向）に長い直方体の形状をなしていて、その下部が保持部１８によって保持される様に、且つ、その上部が、支持部１５ｂに形成された穴部との間では上下方向に非拘束状態で設けられたことにより、弾性材１４に比して上下方向に極めて弾性変形し易い様に形成されている。また、弾性材１７は、弾性材１４に比して極めて弾性変形し易い材質によって形成されている（弾性率が弾性材１４よりも低くなっている）。
【００５６】
これは、以下の理由による。即ち、記録紙Ｐを、押さえ部１３以外の部分で固定刃１との間で挟持してしまうと、上述の通り記録紙Ｐがずれることによって記録面を痛める虞等があることから、押さえ部１３以外の部分で記録紙Ｐを挟持しない様に構成しなければならない。しかし、記録紙Ｐが固定刃１の下面から離れるに従って、上述の通り切断時に記録紙Ｐに無理な力が掛かり、後の記録において記録品質が低下する虞がある。また、丸刃２が記録紙Ｐを切り込む際に、記録紙Ｐに局部的な撓み（曲げ）状態を形成してしまう虞もある。
【００５７】
そこで、支持部１５ｂでは、記録紙Ｐを固定刃１の下面に非挟持状態で軽く接触させた状態か、或いはごく僅かに離間した状態に確実にする為に、弾性材１７を弾性材１４に比して極めて弾性変形し易く形成し、上述の様な理想的な非挟持状態を実現している。また、この様に構成しない場合には、支持部１５ａの金属折り曲げ部を極めて高精度に形成し、以て記録紙Ｐの記録面と固定刃１の下面との距離を精密に規定する必要があるが、上述の様な弾性材１７を用いることにより、支持部１５ａの金属折り曲げ部を高精度に形成する必要も無い。
【００５８】
尚、本実施形態では、押さえ部１３によって記録紙Ｐを挟持した状態において、支持部１５ｂの弾性材１７は、記録紙Ｐを固定刃１の下面に軽く接触させた状態となる様に構成されている。ここで、接触させた状態とは、上述の通り押さえ部１３の様に記録紙Ｐが動かない様に、記録紙Ｐを固定刃１との間で確実に挟持する様なものでは無く、記録紙Ｐの記録面と固定刃１の下面との間隔がゼロとなる様に、記録紙Ｐを極めて弱い力で固定板の下面に接触させるといった程度を言う（記録紙Ｐの非挟持状態）。
【００５９】
加えて、本実施形態においては、図４に示す最も左側の支持部１５ｂが、オートカッター１００における最大用紙幅、具体的にはＡ４サイズ（縦方向）の側端部近傍（切断開始側の端部近傍）を下から支持する様に配置されている。従って、記録紙Ｐが最も微動し易い丸刃２の切り込み開始位置において記録紙Ｐが固定刃１の下面に確実に軽く触れる状態となり、Ａ４サイズの記録紙Ｐの切断に理想的な配置構成となっている。また、本実施形態では押さえ部１３の左側に配置された支持部１５ｂは、ハガキ（縦方向）の側端部近傍を下から支持する様に配置されている。従って、ハガキサイズの記録紙Ｐの切断に理想的な配置構成にもなっている。
【００６０】
加えて、記録紙Ｐの幅方向に渡って押さえ部１３、支持部１５ａ、１５ｂが局在して形成されていることから、記録紙Ｐが幅方向に渡ってほぼ均等に下から支持されることとなり、これによって記録紙Ｐは搬送方向から視て略水平な状態で、且つ、ほぼ均一に固定刃１の下面に沿った状態となり、以て切断時に記録紙Ｐに無理な力が掛かることがなく適切に記録紙Ｐを切断することができる。
【００６１】
尚、弾性材１７は上述の様に上下方向に弾性変形し易く、記録紙Ｐが接触する接触面１７ａの位置が定まりづらい状態となっているが、図７を参照しながら説明した様に上部が支持部１５ｂから僅かに上方に突出する様に設けられている為、これにより、接触面１７ａの位置が確実に定まる様になっている。
加えて本実施形態では、図７において、弾性材１７における記録紙Ｐとの接触面１７ａは、弾性材１４における記録紙Ｐとの接触面１４ａよりも僅かに下方に設定されている。従ってこれにより、押さえ部１３によって記録紙Ｐの挟持状態を確実に形成しつつ、支持部１５ｂによって記録紙Ｐの非挟持状態を確実に形成することができる様になっている。
【００６２】
ところで、揺動部材１１は揺動軸６４を中心に揺動可能に設ける必要があることから、円滑な揺動動作を確保する為に、その軸方向に一定のがたつき（クリアランス）を設ける必要がある。しかし、揺動部材１１に設けられた押さえ部１３は、切断時に、記録紙Ｐを固定刃１との間でしっかりと挟持する必要がある。つまり、記録紙Ｐを固定刃１との間で挟持した状態で、揺動部材１１が揺動軸方向に微動してしまうと、記録紙Ｐの記録面と固定刃１の下面とが擦れて記録品質を低下させる虞がある。そこで、本実施形態においては、揺動部材１１を揺動軸方向に付勢する、「軸方向付勢部材」としての引っ張りコイルばね１０を、揺動部材１１と紙案内４４との間に設け、これにより、揺動部材１１の円滑な揺動動作を確保しながら、揺動部材１１の軸方向への微動を防止している。
【００６３】
しかしながら、図１４から図１５への変化に示す様に、カッターキャリッジ２１が待機位置へと戻る際、つまり、図の右から左へ向かう方向（Ｘ−方向）に移動すると、第１カム部２５が第１カムフォロア１６を下方に押し下げる。このとき、第１カムフォロア１６は図９に示したねじりコイルばね１２によって、図１４及び図１５の上方向（Ｚ＋方向）に付勢されていて、且つ、第１カム部２５は第１カムフォロア１６の傾斜面１６ａに当接する為、第１カムフォロア１６は、図１４及び図１５の左下方向に向かう反力を受ける。この反力は、図１４及び図１５に示すＺ−方向の成分と、Ｘ−方向の成分とに分解することができるが、揺動部材１１を軸方向に付勢する前述の引っ張りコイルばね１０は、揺動部材１１を図１４及び図１５に示すＸ＋方向に付勢している。
【００６４】
従って、第１カムフォロア１６、即ち揺動部材１１が第１カム部２５から受ける前記反力のＸ−方向成分は、揺動部材１１をＸ＋方向に付勢する引っ張りコイルばね１０の付勢力に抗することとなり、従って前記反力のＸ−方向成分が、引っ張りコイルばね１０の付勢力より大なるものとなってしまうと、揺動部材１１が記録紙Ｐの切断時に微動し、記録品質を低下させる虞がある。
そこで、本実施形態では、揺動部材１１をＸ＋方向に付勢する引っ張りコイルばね１０の付勢力を、前記反力のＸ−方向成分に比して充分に大なる様に設定し、これによって、上述した様な揺動部材１１の揺動軸方向への微動による記録品質の低下を防止している。
【００６５】
尚、この様な問題を防止する為に、揺動部材１１を揺動軸方向に付勢する付勢手段を、前記反力の揺動軸方向成分（本実施形態ではＸ−方向）と一致させる様に構成しても良い。この様に構成すれば、揺動部材１１を揺動軸方向に付勢する付勢力がより一層増大され、もってより一層確実に揺動部材１１の微動を防止できることになる。
【００６６】
続いて、記録紙ガイド手段の構成と作用効果について説明する。図９に示す様に、カッターキャリッジ２１の下流側には、前述した排出駆動ローラ４１を取り付ける為の、記録紙Ｐの幅方向に延びる排出駆動ローラ軸４８が設けられている。この排出駆動ローラ軸４８の両軸端部には、図９に示す様に記録紙Ｐの搬送方向を側視して略「コ」の字形の形状をなし、且つ、図１０に示す様に記録紙Ｐの幅方向に延びる様に、金属板の折り曲げによって形成されたガイド部材４５が、排出駆動ローラ軸４８を中心に図９の時計方向及び反時計方向に揺動可能に設けられている。
【００６７】
このガイド部材４５には、ねじりコイルばね４９の付勢力が作用する様に構成されている。ねじりコイルばね４９は、図９に示す様に記録紙Ｐの幅方向に長いガイド部材４５において待機位置側（図１０の左側）に１つ配置され、ガイド部材４５を、ガイド部材４５の上面をなすガイド面４５ａが下向きに傾斜する方向（図９において反時計方向）に揺動付勢している。
【００６８】
一方、ガイド部材４５においてねじりコイルばね４９が設けられた側には第２カムフォロア４６が設けられ、該第２カムフォロア４６と、これと係合するカッターキャリッジ２１とによって、ガイド部材４５は、ガイド面４５が水平に近づく方向（図９の時計方向）に揺動する様に構成されている。
【００６９】
より詳しくは、第２カムフォロア４６は、カッターキャリッジ２１の往復動領域内に突出する様に設けられていて、従ってカッターキャリッジ２１が待機位置にあるときは、図８、図９に示す様に第２カムフォロア４６はカッターキャリッジ２１の下流側の面（略垂直な面：符号２６で示す部分：以下「第２カム部」と言う）と係合し（以下これを「第２カム係合状態」と言う）、これによりガイド部材４５は、ねじりコイルばね４９の付勢力に抗してガイド面４５ａが水平に近づいた状態となる（但し、図９に示す様に僅かに傾斜している）。一方でカッターキャリッジ２１が待機位置から離れると、第２カムフォロア４６と第２カム部２６との係合状態が解除され（以下これを「第２カム非係合状態」と言う）、ガイド部材４５はねじりコイルばね４９の付勢力によって、ガイド面４５ａが下向きに傾く方向に揺動する。
【００７０】
従って、カッターキャリッジ２１が待機位置にあるときは、固定刃１から下流側に進もうとする記録紙Ｐが、ガイド面４５ａによって下流側、即ち排出駆動ローラ４２と排出従動ローラへとガイドされる。ここで、この状態では図９に示す様に第２カムフォロア４６のみならずガイド部材４５もがカッターキャリッジ２１の往復動領域に突出した状態となっているが、カッターキャリッジ２１が待機位置から離れると、図９から図１３への変化に示す様に、ガイド部材４５はカッターキャリッジ２１の往復動領域から退避する方向に揺動し、これにより、カッターキャリッジ２１の往復動領域が開放され、カッターキャリッジ２１による記録紙Ｐの切断が可能となる。これが、オートカッター１００における記録紙ガイド手段である。
【００７１】
次に、以上説明した記録紙挟持手段と記録紙ガイド手段との関係について説明する。
図９において、上述した様に、記録紙挟持手段は第１カムフォロア１６を有し、該第１カムフォロア１６が、第１カム部２５（カッターキャリッジ２１）によって押し下げられる。また、記録紙ガイド手段は第２カムフォロア４６を有し、該第２カムフォロア４６が、第２カム部２６（カッターキャリッジ２１）によって押し退けられる。
【００７２】
ここで、カッターキャリッジ２１は第１カムフォロア１６と第２カムフォロア４６とから外力を受ける為、カッターキャリッジ２１を駆動するカッター駆動モータ３（図１参照）には、これによって負荷が掛かることになる。特に、記録紙挟持手段（第１カムフォロア１６）の側においては、揺動部材１１が、該揺動部材１１を揺動軸方向に付勢する引っ張りコイルばね１０（図６参照）の付勢力を受けていることから、この様な状態にある揺動部材１１を揺動付勢するねじりコイルばね１２の付勢力は、揺動部材１１を確実に付勢する為に大なるものとしなければならない。すると、カッターキャリッジ２１、即ちカッター駆動モータ３が受ける負荷も増大することになる。
【００７３】
そして、カッター駆動モータ３が、記録紙挟持手段（第１カムフォロア１６）と記録紙ガイド手段（第２カムフォロア４６）とから同時に負荷を受ける場合には、カッター駆動モータ３に掛かる負荷の変動幅がより一層大なるものとなり、場合によってはカッターキャリッジ２１の正常な駆動を阻害される虞がある。特に、カッター駆動モータ３には、記録紙Ｐの切断時にも負荷が掛かることから、負荷の変動幅は可能な限り小さいことが望ましい。
【００７４】
そこで、本実施形態においては、第１カム係合状態、即ち第１カムフォロア１６と第１カム部２５（カッターキャリッジ２１）との係合状態において、当該第１カム係合状態がカッター駆動モータ３に最大負荷を与える際のカッターキャリッジ２１の位置と、第２カム係合状態、即ち第２カムフォロア４６と第２カム部２６（カッターキャリッジ２１）との係合状態において、当該第２カム係合状態がカッター駆動モータ３に最大負荷を与える際のカッターキャリッジ２１の位置とが、異なる様に構成している。
【００７５】
より詳しくは、カッターキャリッジ２１が待機位置にある状態では、図８、９に示す様に第１カムフォロア１６は第１カム部２５によって押下された状態にあり、第２カムフォロア４６は、第２カム部２６によって押し退けられた状態にある。
この状態から、カッターキャリッジ２１が記録紙Ｐを切断する為に移動を開始すると、先ず最初に、第１カムフォロア１６が第１カム部２５から外れ、図１０及び図１１に示す様に第１カム非係合状態となる。この状態においては、図１０及び図１１に示す様に、第２カムフォロア４６と第２カム部２６とは依然係合状態（第２カム係合状態）にあり、カッターキャリッジ２１は、第２カムフォロア４６から外力を受けた状態にある。尚、図８から図１３において符号５で示すセンサは、図示しない発光部と受光部とからなるポジションセンサであり、カッターキャリッジ２１の上端部２１ａが間隔５ａに入ると、前記発光部から受光部へ放射される光が遮断され、これにより、カッターキャリッジ２１の往復動範囲の制御を行える様になっている。
【００７６】
そして、カッターキャリッジ２１が更に移動すると、図１２及び図１３に示す様に第２カムフォロア４６が第２カム部２６から外れ、第２カム非係合状態となる。カッターキャリッジ２１は、この状態において、はじめて第１カムフォロア１６及び第２カムフォロア４６のいずれからも外力を受けないフリーな状態となる。そして、カッターキャリッジ２１が、逆に右方向から左方向（待機位置側）へと移動する場合には、上述とは逆に、先ず第２カムフォロア４６から外力（負荷）を受け、次に第１カムフォロア１６から外力（負荷）を受けることになる。
【００７７】
図１６は、この様に、第１カムフォロア１６と第２カムフォロア４６とが、カッターキャリッジ２１（カッター駆動モータ３）に負荷を与える区間を模式的に示した説明図である。図１６（Ａ）は、本実施形態に係る説明図であり、ａは第１カムフォロア１６がカッター駆動モータ３に負荷を与える区間（区間Ｌａ）を、ｂは第２カムフォロア４６がカッター駆動モータ３に負荷を与える区間（区間Ｌｂ）を示していて、図中、符号Ｘ０はカッターキャリッジ２１の待機位置を、符号Ｘ１は待機位置Ｘ０から最も離れた移動位置を示している。また、図中、符号ｍａは第１カムフォロア１６がカッター駆動モータ３に最大負荷を与える地点（以下「最大負荷地点」と言う）を、符号ｍｂは第２カムフォロア４６がカッター駆動モータ３に最大負荷を与える最大負荷地点を示している。
【００７８】
図１６（Ａ）において、カッターキャリッジ２１がＸ１地点を出発して待機位置Ｘ０に向かう場合には、カッターキャリッジ２１（カッター駆動モータ３）は、上述した通り先ず最初に第２カムフォロア４６から外力（負荷）を受ける（区間Ｌｂ）。そして更に待機位置Ｘ０に向かって移動することにより、第１カムフォロア１６から外力（負荷）を受ける（区間Ｌａ）。
【００７９】
ここで、区間Ｌｂにおける最大負荷地点ｍｂは、区間Ｌａにおける最大負荷地点ｍａよりも左側に位置している。従って、カッター駆動モータ３が受ける負荷は、最大負荷地点ｍａと最大負荷地点ｍｂとにおけるそれぞれの負荷の和とはならない様になっている。
【００８０】
つまり、第１カムフォロア１６とカッターキャリッジ２１とが係合した状態（第１カム係合状態）において、カッター駆動モータ３が第１カムフォロア１６（記録紙挟持手段）から最大負荷を受ける際のカッターキャリッジ２１の位置を「第１のキャリッジ位置」とする。また、第２カムフォロア４６とカッターキャリッジ２１とが係合した状態（第２カム係合状態）において、カッター駆動モータ３が第２カムフォロア４６（記録紙ガイド手段）から最大負荷を受ける際のカッターキャリッジ２１の位置を第２のキャリッジ位置とすると、前記第１のキャリッジ位置と前記第２のキャリッジ位置とが異なる位置となる様に構成されている。
【００８１】
従ってこれにより、カッター駆動モータ３に掛かる最大負荷を低減させることができ、以てカッターキャリッジ２１の正常な動作を確保することが可能となると共に、カッター駆動モータ３の選定の自由度を高めることができ、ひいてはカッター駆動モータ３の低コスト化を図ることができる。
【００８２】
尚、前記第１のキャリッジ位置と、前記第２のキャリッジ位置との関係は、図１６（Ｂ）の様に成すこともできる。
図１６（Ｂ）において、区間Ｌｂにおける最大負荷地点ｍｂは、区間Ｌａにおける最大負荷地点ｍａよりも左側に位置していると同時に、区間Ｌａに掛からない場所（区間Ｌａの左側）に位置している。従ってこれにより、カッター駆動モータ３に掛かる最大負荷をより一層低減させることができ、以てカッターキャリッジ２１の正常な動作をより一層確実に確保することができる。
【００８３】
尚、カッターキャリッジ２１は、待機位置Ｘ０を出発して位置Ｘ１へ向かう際、つまり、記録紙Ｐを切り込み始める際に記録紙Ｐから負荷を受けるが、この負荷を受ける位置が、区間Ｌａ又は区間Ｌｂに掛からない場所（区間Ｌａ又は区間Ｌｂのいずれか一方に対して左側）、或いは、区間Ｌａ及び区間Ｌｂの双方に掛からない場所（区間Ｌａ及び区間Ｌｂの双方に対して左側）に位置する様に構成することにより、カッターキャリッジ２１に掛かる最大負荷を同様に低減することができ、以てカッターキャリッジ２１の正常な動作を確保することができる。
【図面の簡単な説明】
【図１】本発明に係る記録装置の外観斜視図である。
【図２】本発明に係る記録装置の要部側面図である。
【図３】カッターキャリッジの拡大斜視図である。
【図４】本発明に係るオートカッターの正面図である。
【図５】本発明に係るオートカッターの正面図である。
【図６】本発明に係るオートカッターの斜視図である。
【図７】本発明に係るオートカッターの正面図である。
【図８】本発明に係るオートカッターの斜視図である。
【図９】本発明に係るオートカッターの側面図である。
【図１０】本発明に係るオートカッターの斜視図である。
【図１１】本発明に係るオートカッターの側面図である。
【図１２】本発明に係るオートカッターの斜視図である。
【図１３】本発明に係るオートカッターの側面図である。
【図１４】本発明に係るオートカッターの拡大正面図である。
【図１５】本発明に係るオートカッターの拡大正面図である。
【図１６】本発明に係るオートカッターの動作説明図である。
【符号の説明】
１　固定刃、２　丸刃、３　カッター駆動モータ、５、６　リミットセンサ、１０　引っ張りコイルばね、１１　揺動部材、１２　ねじりコイルばね、１３　押さえ部、１４　弾性材、１５ａ、１５ｂ　支持部、１６　第１カムフォロア、１７　弾性材、１８　保持部、２１　カッターキャリッジ、２２　無端ベルト、２３　ガイド板、２４　規制部、２４ａ　斜面、２４ｂ　規制面、２５　第１カム部、２６　第２カム部、４１　排紙補助ローラ、４２　排出駆動ローラ、４３　排出従動ローラ、４４　紙案内、４５　ガイド部材、４６　第２カムフォロア、４９　ねじりコイルばね、５０　インクジェット式記録装置、５１　キャリッジガイド軸、５２　プラテン、５３　搬送駆動ローラ、５４　搬送従動ローラ、５５　排紙駆動ローラ、５６　排紙従動ローラ、５７　給紙トレイ、５８　排紙トレイ、６１　キャリッジ、６２　記録ヘッド、６３　排紙フレーム、６４　揺動軸、１００　オートカッター、Ｐ　記録紙
【図１】
2004122676.tif 000003
【図２】
2004122676.tif 000004
【図３】
2004122676.tif 000005
【図４】
2004122676.tif 000006
【図５】
2004122676.tif 000007
【図６】
2004122676.tif 000008
【図７】
2004122676.tif 000009
【図８】
2004122676.tif 000010
【図９】
2004122676.tif 000011
【図１０】
2004122676.tif 000012
【図１１】
2004122676.tif 000013
【図１２】
2004122676.tif 000014
【図１３】
2004122676.tif 000015
【図１４】
2004122676.tif 000016
【図１５】
2004122676.tif 000017
【図１６】
2004122676.tif 000018